(57)【要約】      （修正有）【課題】構成が簡単で、機能性が強く使用期間も長い開傘容易な２段折り傘を提供する。【解決手段】２段折り傘は、傘骨本体１と中央套管２と第１補強ブロック３と第２補強ブロック９とを含み、傘骨本体の外部に中央套管が設けられ、中央套管の両端はそれぞれ傘骨本体に外套接続され、中央套管の頂部に接続ブロック４が設けられ、接続ブロックと中央套管とが一体構成され、接続ブロックの外部に孔口が開設される。傘骨本体の右側の接続ヘッド６を傘の押し式の套管に固定して、傘骨本体の左側のヨーク状枠８を傘面の底部に接続する。傘の水掻き部が、主要な支持機能を発揮するとともに、傘骨本体上の中央套管が傘骨本体の中心に位置するので、傘骨本体が力を受ける時に、中央套管が対抗能力を付与する。また中央套管の中芯に中空溝が開設されるので、中央套管頂部の第１補強ブロックが中央套管の強度を増加させる。【選択図】図１
0003230772.tif 000002
【実用新案登録請求の範囲】
【請求項１】
開傘が容易な２段折り傘であって、傘骨本体１と、中央套管２と、第１補強ブロック３と
、および第２補強ブロック９とを含み、前記傘骨本体１の外部に中央套管２が設けられて
おり、前記中央套管２の両端はそれぞれ傘骨本体１に外套され接続されており、前記中央
套管２の頂部に接続ブロック４が設けられており、前記接続ブロック４と中央套管２とが
一体的構成とされており、前記接続ブロック４の外部に孔口５が開設されている、ことを
特徴とする開傘が容易な２段折り傘。
【請求項２】
前記中央套管２は傘骨本体１の中心に位置しており、前記中央套管２の内部に中空溝が開
設されている、ことを特徴とする請求項１に記載の開傘が容易な２段折り傘。
【請求項３】
前記中央套管２の頂部に第１補強ブロック３が固定接続されており、前記第１補強ブロッ
ク３と接続ブロック４がそれぞれ中央套管２の両端に位置されている、ことを特徴とする
請求項１に記載の開傘が容易な２段折り傘。
【請求項４】
前記傘骨本体１の右側に接続ヘッド６が固定接続されており、前記接続ヘッド６の他端に
挿嵌ブロック７が設けられており、前記挿嵌ブロック７と接続ヘッド６とが一体的構成と
されており、前記接続ヘッド６の側面に第１軸孔１２が開設されている、ことを特徴とす
る請求項１に記載の開傘が容易な２段折り傘。
【請求項５】
前記傘骨本体１の左側にヨーク状枠８が固定接続され、前記ヨーク状枠８の頂部に第２補
強ブロック９が固定接続されている、ことを特徴とする請求項１に記載の開傘が容易な２
段折り傘。
【請求項６】
前記ヨーク状枠８の外部に半円状係溝１０が開設され、前記ヨーク状枠８の側面に第２軸
孔１２が開設されており、前記第２軸孔１２が半円状係溝１０の内部に位置されている、
ことを特徴とする請求項５に記載の開傘が容易な２段折り傘。
【考案の詳細な説明】
【技術分野】
【０００１】
本実用新案は、傘骨の技術分野に関するもので、特に、開傘が容易な２段折り傘に関する
。
【従来の技術】
【０００２】
傘の骨は傘の構造の一つであり、傘を支える骨組みの一つである。以前の傘の骨の多くは
、木、竹の傘の骨であった。その後、鉄骨、鉄骨、アルミニウム合金骨、電気着骨、樹脂
骨など様々な材質が現れた。
【０００３】
現在の市場では、2つの折り畳み傘の骨は、ほとんどが傘の構造を使用し、全体の傘の骨
は、傘の骨の本体によって支えられている。応用時には一定の限界があり、使用時間が経
つにつれて、傘の骨は粗い使用によって強度が低下しやすくなり、連結時に緩みが生じ、
使用時の安定性が足りない。
【考案の概要】
【０００４】
（１）解決する技術問題
既存の技術の不足に対して、本実用新案は開傘が容易な２段折り傘を提供する。既存の市
販の二つ折りの傘の骨は傘の中で開きやすい。ほとんどは、使用時の構造が単一で、傘の
骨は一本の傘の骨の主体で支えられている。応用時には一定の限界がある。また、使用時
間が長くなるにつれて、傘の骨は粗い使い方によって、強度が低下し、接続時に緩みが生
じ、使用時に安定性が足りないという問題を解決する。
【０００５】
（２）技術方案
上記の問題を解決するために、本実用新案は、開傘が容易な２段折り傘を提供する。開傘
が容易な２段折り傘であって、傘骨本体１と、中央套管２と、第１補強ブロック３と、お
よび第２補強ブロック９とを含み、前記傘骨本体１の外部に中央套管２が設けられており
、前記中央套管２の両端はそれぞれ傘骨本体１に外套され接続されており、前記中央套管
２の頂部に接続ブロック４が設けられており、前記接続ブロック４と中央套管２とが一体
的構成とされており、前記接続ブロック４の外部に孔口５が開設されている、ことを特徴
とする開傘が容易な２段折り傘である。
【０００６】
好ましくは、前記中央套管２は傘骨本体１の中心に位置しており、前記中央套管２の内部
に中空溝が開設されている。
【０００７】
好ましくは、前記中央套管２の頂部に第１補強ブロック３が固定接続されており、前記第
１補強ブロック３と接続ブロック４がそれぞれ中央套管２の両端に位置されている。
【０００８】
好ましくは、前記傘骨本体１の右側に接続ヘッド６が固定接続されており、前記接続ヘッ
ド６の他端に挿嵌ブロック７が設けられており、前記挿嵌ブロック７と接続ヘッド６とが
一体的構成とされており、前記接続ヘッド６の側面に第１軸孔１２が開設されている。
【０００９】
好ましくは、前記傘骨本体１の左側にヨーク状枠８が固定接続され、前記ヨーク状枠８の
頂部に第２補強ブロック９が固定接続されている。
【００１０】
好ましくは、前記ヨーク状枠８の外部に半円状係溝１０が開設され、前記ヨーク状枠８の
側面に第２軸孔１２が開設されており、前記第２軸孔１２が半円状係溝１０の内部に位置
されている。
【００１１】
（３）有益な効果
本実用新案の開傘が容易な２段折り傘は以下の利点を有する。
該傘骨本体１を傘骨構成の全体に組み立てる。そのうち、傘骨本体１の右側の接続ヘッド
６を開傘容易な本考案傘の押し式の套管に固定して、傘骨本体１の左側のヨーク状枠８を
傘面の底部に接続する。このようにして、該２段折り傘の水掻き部が、主要な支持機能を
発揮するようにできる。これとともに、該傘骨本体１の使用状態において、傘骨本体１上
の中央套管２が傘骨本体１の中心に位置するので、傘骨本体１に力を受ける時には、中央
套管２によって対抗能力を付与する。また中央套管２の中芯に中空溝が開設されるので、
中央套管２の頂部にて、第１補強ブロック３により強度を増加するように構成される。こ
れにより、中央套管２の強度を大幅に大きくさせる。このようにして、該傘骨本体１の使
用では、さらに安定性を確保することができる。たとえ使用者の勝手使用としても、傘骨
の接続緩みや不安定などがない。総じて、本開傘が容易な２段折り傘は、構成全体が簡単
で、機能性が強く、使用期間も長く、そして実用性が強い。
【図面の簡単な説明】
【００１２】
【図１】本実用新案全体の構成図である。
【図２】本実用新案の接続ヘッド構造の概略図である。
【図３】本考案のヨーク状枠の外部の構成図である。
【図４】本実用新案のヨーク状枠の内部の構成図である。
【００１３】
［符号の説明］
傘骨本体  １
中央套管  ２
第１補強ブロック  ３
接続ブロック  ４
孔口  ５
接続ヘッド  ６
挿嵌ブロック  ７
ヨーク状枠  ８
第２補強ブロック  ９
半円状係溝  １０
支持ブロック  １１
軸孔  １２
第２軸孔  １３
【考案を実施するための形態】
【００１４】
以下、本実用新案の実施形態の図面とともに、本実用新案の実施形態における技術的な態
様を明確かつ完全に説明する。説明した実施形態は、全ての実施形態ではなく、本実用新
案の一部の実施形態にすぎないことは明らかである。本実用新案における実施例に基づい
て、当業者は、創造的な労働がなされていないことを前提として取得される他のすべての
実施形態は、本実用新案保護の範囲に属する。
【００１５】
図１〜４に示すように、開傘が容易な２段折りＨＫ型傘は、傘骨本体１と、中央套管２と
、第１補強ブロック３と、および第２補強ブロック９とを含む。ここで、ＨＫ型傘は、傘
の番型の１種類である。前記傘骨本体１の外部に中央套管２が設けられている。前記中央
套管２の両端はそれぞれ傘骨本体１に外套され接続されている。前記中央套管２の頂部に
接続ブロック４が設けられる。前記接続ブロック４と中央套管２とが一体的構成とされて
いる。前記接続ブロック４の外部に孔口５が開設されている。
【００１６】
前記中央套管２は傘骨本体１の中心に位置されている。前記中央套管２の内部に中空溝が
開設されている。傘骨本体１に中央套管２を増設することにより、傘骨本体１の外力への
耐力が、中央套管２によって向上する。これにより、使用時における強度と安定度を向上
し、機能面ですぐれるものである。
【００１７】
前記中央套管２の頂部に第１補強ブロック３が固定接続されている。前記第１補強ブロッ
ク３と接続ブロック４がそれぞれ中央套管２の両端に位置されている。中央套管２の頂部
に第１補強ブロック３を設けることにより、頂部から補強を実行することができるので、
強度の向上効果を著しくさせる。
【００１８】
前記傘骨本体１の右側に接続ヘッド６が固定接続されている。前記接続ヘッド６の他端に
挿嵌ブロック７が設けられている。前記挿嵌ブロック７と接続ヘッド６とが一体的構成と
されている。前記接続ヘッド６の側面に第１軸孔１２が開設されている。独立して接続ヘ
ッド６を設けることにより、それを別の部材に接続させる場合、より安定的にできている
ので、機能面ですぐれるものである。
【００１９】
前記傘骨本体１の左側にヨーク状枠８が固定接続され、前記ヨーク状枠８の頂部に第２補
強ブロック９が固定接続されている。ヨーク状枠８の頂部に第２補強ブロック９を設ける
ことにより、ヨーク状枠８の使用時における強度を向上するので、実用性が強い。
前記ヨーク状枠８の外部に半円状係溝１０が開設され、前記ヨーク状枠８の側面に第２軸
孔１２が開設されている。前記第２軸孔１２が半円状係溝１０の内部に位置されている。
ヨーク状枠８の外部に半円状係溝１０を設けることにより、接続作業において、より緊密
的に嵌合できるので、接続安定性を向上する。
【００２０】
＜動作原理＞
本開傘が容易な２段折りＨＫ型傘の動作について説明する。該傘骨本体１を傘骨構成の全
体に組み立てる。そのうち、傘骨本体１の右側の接続ヘッド６を開傘容易な本考案傘の押
し式の套管に固定して、傘骨本体１の左側のヨーク状枠８を傘面の底部に接続する。この
ようにして、該２段折り傘の水掻き部が、主要な支持機能を発揮するようにできる。これ
とともに、該傘骨本体１の使用状態において、傘骨本体１上の中央套管２が傘骨本体１の
中心に位置するので、傘骨本体１に力を受ける時には、中央套管２によって対抗能力を付
与する。また中央套管２の中芯に中空溝が開設されるので、中央套管２の頂部にて、第１
補強ブロック３により強度を増加するように構成される。これにより、中央套管２の強度
を大幅に大きくさせる。このようにして、該傘骨本体１の使用では、さらに安定性を確保
することができる。たとえ使用者の勝手使用としても、傘骨の接続緩みや不安定などがな
い。総じて、本開傘が容易な２段折り傘は、構成全体が簡単で、機能性が強く、使用期間
も長く、そして実用性が強い。
【００２１】
本実用新案に係る傘骨本体  １、中央套管  ２、第１補強ブロック  ３、接続ブロック  
４、孔口  ５、接続ヘッド  ６、挿嵌ブロック  ７、ヨーク状枠  ８、第２補強ブロック
９、半円状係溝  １０、支持ブロック  １１、軸孔  １２、第２軸孔  １３は、全部共
通の標準部品または当業者が知っている部品であり、その構造と原理はすべて当技術者が
技術文献を通じて知ることができる。または通常の実験方法で知ることができる。本開傘
が容易な２段折りＨＫ型傘の動作について説明する。該傘骨本体１を傘骨構成の全体に組
み立てる。そのうち、傘骨本体１の右側の接続ヘッド６を開傘容易な本考案傘の押し式の
套管に固定して、傘骨本体１の左側のヨーク状枠８を傘面の底部に接続する。このように
して、該２段折り傘の水掻き部が、主要な支持機能を発揮するようにできる。これととも
に、該傘骨本体１の使用状態において、傘骨本体１上の中央套管２が傘骨本体１の中心に
位置するので、傘骨本体１に力を受ける時には、中央套管２によって対抗能力を付与する
。また中央套管２の中芯に中空溝が開設されるので、中央套管２の頂部にて、第１補強ブ
ロック３により強度を増加するように構成される。これにより、中央套管２の強度を大幅
に大きくさせる。このようにして、該傘骨本体１の使用では、さらに安定性を確保するこ
とができる。たとえ使用者の勝手使用としても、傘骨の接続緩みや不安定などがない。総
じて、本開傘が容易な２段折り傘は、構成全体が簡単で、機能性が強く、使用期間も長く
、そして実用性が強い。
【００２２】
以上、本実用新案の基本原理及び主要特徴及び本実用新案の利点を示し説明したが、当業
者にとって、本考案は上記実施形態の詳細に限定されず、また本実用新案の精神または基
本的特徴から逸脱することなく、他の具体的な形で本実用新案を実現することができるこ
とは明らかである。したがって、いずれの点から見ても、実施形態を例示的であり、かつ
非限定的であると見なし、本実用新案の範囲は、上記の説明に限定されるものではなく、
添付の請求の範囲によって定義されるのであり、請求項の均等要件の意味と範囲内に属す
ることを意図される変化を本実用新案に含める。請求の範囲のいずれかの図面の符号を、
限定に係る請求項と見なすべきではない。
【００２３】
また、本明細書は実施の形態に従って説明されているが、各実施の形態には一つの独立し
た技術方案のみが含まれるわけではなく、明細書のこのような説明は明確にするためだけ
に、当業者は説明書を一つの全体とし、各実施の形態における技術案も適切に組み合わせ
て当業者を形成することができることを理解されたい。
【図１】
0003230772.tif 000003
【図２】
0003230772.tif 000004
【図３】
0003230772.tif 000005
【図４】
0003230772.tif 000006